【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
電子写真画像形成装置本体に着脱可能なプロセスカートリッジであって、
静電潜像が形成される感光ドラムと、
前記静電潜像を現像するべく前記感光ドラムに接触する接触位置と、前記感光ドラムから離れた離間位置と、の間を移動可能な現像ローラと、
前記感光ドラムおよび前記現像ローラを支持するカートリッジフレームと、
前記カートリッジフレームの外側へ突出した突出位置と、この突出位置から前記カートリッジフレームの内側へ向かって移動した待機位置と、の間を移動可能であって、前記現像ローラを前記接触位置から前記離間位置へ移動させるための離間力を前記突出位置で受ける離間力受け部と、
前記離間力受け部を前記待機位置から前記突出位置へ移動させるための突出力を受ける突出力受け部と、
前記突出力による前記突出力受け部の移動量よりも前記離間力受け部の前記待機位置から前記突出位置への移動量が大きくなるように、前記突出力による前記突出力受け部の移動量を増幅させる増幅機構と、
を有することを特徴とするプロセスカートリッジ。
【請求項２】
前記増幅機構は、回動可能な回動部材を有することを特徴とする請求項１に記載のプロセスカートリッジ。
【請求項３】
前記回動部材に前記離間力受け部が設けられたことを特徴とする請求項２に記載のプロセスカートリッジ。
【請求項４】
前記増幅機構は、スライド可能なスライド部材を有することを特徴とする請求項１乃至３のいずれか１項に記載のプロセスカートリッジ。
【請求項５】
前記スライド部材に前記突出力受け部が設けられたことを特徴とする請求項４に記載のプロセスカートリッジ。
【請求項６】
前記増幅機構は、多段ギア部材を有することを特徴とする請求項１に記載のプロセスカートリッジ。
【請求項７】
前記多段ギア部材は、第一のギア部と第二のギア部とを有し、
前記増幅機構は、
前記離間力受け部が設けられ、前記第一のギア部とギア結合する第一のギア部材と、
前記突出力受け部が設けられ、前記第二のギア部とギア結合する第二のギア部材と、を有することを特徴とする請求項６に記載のプロセスカートリッジ。
【請求項８】
前記突出力受け部が前記突出力を受けるとともに前記離間力受け部の前記待機位置から前記突出位置への移動を規制された状態を許容するために弾性変形する弾性部を有することを特徴とする請求項１乃至７のいずれか１項に記載のプロセスカートリッジ。
【請求項９】
前記感光ドラムおよび前記現像ローラは、前記カートリッジフレームの下部に設けられ、
前記離間力受け部は、前記カートリッジフレームの上部に設けられ、
前記突出力受け部は、前記離間力受け部よりも前記カートリッジフレームの下方に設けられていることを特徴とする請求項１乃至８のいずれかに記載のプロセスカートリッジ。
【請求項１０】
前記突出力受け部は前記カートリッジフレームの下部に設けられたことを特徴とする請求項９に記載のプロセスカートリッジ。
【請求項１１】
前記カートリッジフレームは、前記感光ドラムを支持するドラムフレームと、前記現像ローラを支持し、前記ドラムフレームに対し移動可能に結合された現像フレームと、を有し、
前記離間力受け部は前記現像フレームに設けられていることを特徴とする請求項１乃至１０のいずれか１項に記載のプロセスカートリッジ。
【請求項１２】
前記突出力受け部材は前記現像フレームに設けられていることを特徴とする請求項１１に記載のプロセスカートリッジ。
【請求項１３】
前記突出力受け部は前記ドラムフレームに設けられていることを特徴とする請求項１１に記載のプロセスカートリッジ。
【請求項１４】
前記現像フレームは前記ドラムフレームに対し回動可能に設けられ、
前記離間力受け部は、前記待機位置よりも前記突出位置において、前記現像フレームの前記ドラムフレームに対する回動中心から離れていることを特徴とする１乃至１３のいずれか１項に記載のプロセスカートリッジ
【請求項１５】
前記離間力受け部および前記突出力受け部はそれぞれ、前記離間力および前記突出力を前記装置本体から受けることを特徴とする請求項１乃至１４のいずれか１項に記載のプロセスカートリッジ。
【請求項１６】
記録媒体に画像を形成する電子写真画像形成装置であって、
請求項１５に記載のプロセスカートリッジと、
前記プロセスカートリッジを取り外し可能に装着するための装着手段を有する前記装置本体と、
を有することを特徴とする電子写真画像形成装置。
【手続補正２】
【補正対象書類名】明細書
【補正対象項目名】００１１
【補正方法】変更
【補正の内容】
【００１１】
上記目的を達成するための代表的な構成は、電子写真画像形成装置本体に着脱可能なプロセスカートリッジであって、
静電潜像が形成される感光ドラムと、
前記静電潜像を現像するべく前記感光ドラムに接触する接触位置と、前記感光ドラムから離れた離間位置と、の間を移動可能な現像ローラと、
前記感光ドラムおよび前記現像ローラを支持するカートリッジフレームと、
前記カートリッジフレームの外側へ突出した突出位置と、この突出位置から前記カートリッジフレームの内側へ向かって移動した待機位置と、の間を移動可能であって、前記現像ローラを前記接触位置から前記離間位置へ移動させるための離間力を前記突出位置で受ける離間力受け部と、
前記離間力受け部を前記待機位置から前記突出位置へ移動させるための突出力を受ける突出力受け部と、
前記突出力による前記突出力受け部の移動量よりも前記離間力受け部の前記待機位置から前記突出位置への移動量が大きくなるように、前記突出力による前記突出力受け部の移動量を増幅させる増幅機構と、
を有することを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
本発明によれば、
電子写真感光ドラムと現像ローラとが接触離間可能なプロセスカートリッジ及び電子写真画像形成装置の小型化をおこなうことができる。さらに、前記プロセスカートリッジを取り扱う際や、前記プロセスカートリッジを単体で輸送する際に、電子写真感光ドラムと現像ローラとを離間する為の離間力受け部がダメージを受けにくい構成にすることができる。
【手続補正５】
【補正対象書類名】明細書
【補正対象項目名】００２７
【補正方法】変更
【補正の内容】
【００２７】
回転中心７０ｂと力受け面（離間力受け部）７０ｃとの間に長丸穴７０ａを設けることで、レバー比によって図７で示す第１力受け部材７１の移動量ｈ１よりも、第２力受け部材７０の移動量ｈ２を大きく設定する事が可能となる。ここでの移動量は、鉛直方向、即ち、第１力受け部材７１が後述する力付与部材６０に近づく方向である。
【手続補正６】
【補正対象書類名】明細書
【補正対象項目名】００３８
【補正方法】変更
【補正の内容】
【００３８】
また、ここで、ドア１２の動きと連動してカートリッジ５０が位置決め部１０１ａに向かって下降することで、装置本体に設けられた突出部１８０がカートリッジ５０の下側に設けられた第１力受け部材７１の力受部（突出力受け部）７１ｃに当接する。即ち、第１力受け部材７１は、カートリッジ５０の鉛直方向下側において、突出部１８０から力を受けることになる。逆に、ドア１２が閉じ位置から開放位置に移動する（Ｙ方向）にともなって、押圧部材６１は矢印Ｊ方向に移動する。そして、図５に示すように押圧部材６１が、ドラムフレーム３４の上面部から離間する。